(57)【要約】【課題】撮影時のフレームレートが変更可能な場合であっても、撮影された動画の再生時間を予め決められた時間にできる技術の実現。【解決手段】撮像装置は、動画を撮影する撮像手段と、前記撮像手段により撮影された動画を記録媒体に記録する記録手段と、前記撮像手段が撮影する動画のフレームレートを設定する設定手段と、前記設定手段により設定されたフレームレートの動画を撮影するように前記撮像手段を制御すると共に、前記動画の再生時間が予め決められた再生時間になるように前記設定されたフレームレートに基づいて前記動画の撮影時間を設定し、前記設定した撮影時間に前記撮像手段が撮影した動画を記録するように前記記録手段を制御する制御手段と、を有する。【選択図】図１
2011009970.tif 000002
【特許請求の範囲】
【請求項１】
動画を撮影する撮像手段と、
前記撮像手段により撮影された動画を記録媒体に記録する記録手段と、
前記撮像手段が撮影する動画のフレームレートを設定する設定手段と、
前記設定手段により設定されたフレームレートの動画を撮影するように前記撮像手段を制御すると共に、前記動画の再生時間が予め決められた再生時間になるように前記設定されたフレームレートに基づいて前記動画の撮影時間を設定し、前記設定した撮影時間に前記撮像手段が撮影した動画を記録するように前記記録手段を制御する制御手段と、を有することを特徴とする撮像装置。
【請求項２】
前記記録手段は、前記動画が所定のフレームレートで再生されるように前記動画を記録し、前記制御手段は、前記記録された動画を前記所定のフレームレートで再生したときに前記予め決められた再生時間になるように前記動画の撮影時間を設定することを特徴とする請求項１に記載の撮像装置。
【請求項３】
前記記録手段は、前記所定のフレームレートを示す情報を前記動画と共に記録することを特徴とする請求項２に記載の撮像装置。
【請求項４】
前記制御手段は、前記動画の記録の開始の指示に応じて前記動画の記録を開始し、前記撮影時間が経過したことに応じて前記動画の記録を自動的に停止するように前記記録手段を制御することを特徴とする請求項１から３の何れか１項に記載の撮像装置。
【請求項５】
前記動画の再生時間を設定する手段を更に有し、
前記制御手段は、前記設定された再生時間と前記設定されたフレームレートとに基づいて前記撮影時間を設定することを特徴とする請求項１から４の何れか１項に記載の撮像装置。
【請求項６】
動画を撮影する撮像手段と、
前記撮像手段により撮影された動画を記録媒体に記録する記録手段と、
前記撮像手段が撮影する動画のフレームレートを設定する設定手段と、
前記設定手段により設定されたフレームレートの動画を撮影するように前記撮像手段を制御すると共に、前記記録媒体に記録された動画の再生時間が予め決められた再生時間になるように前記設定されたフレームレートに基づいて前記記録手段が記録する動画のフレーム数を設定し、前記設定したフレーム数の動画を記録するように前記記録手段を制御する制御手段と、を有することを特徴とする撮像装置。
【請求項７】
前記記録手段は、前記動画が所定のフレームレートで再生されるように前記動画を記録し、前記制御手段は、前記記録された動画を前記所定のフレームレートで再生したときに前記予め決められた再生時間になるように前記記録する動画のフレーム数を設定することを特徴とする請求項６に記載の撮像装置。
【請求項８】
前記記録手段は、前記所定のフレームレートを示す情報を前記動画と共に記録することを特徴とする請求項７に記載の撮像装置。
【請求項９】
前記制御手段は、前記動画の記録の開始の指示に応じて前記動画の記録を開始し、前記設定したフレーム数の動画を記録すると前記動画の記録を自動的に停止するように前記記録手段を制御することを特徴とする請求項６から８の何れか１項に記載の撮像装置。
【請求項１０】
前記動画の再生時間を設定する手段を更に有し、
前記制御手段は、前記設定された再生時間と前記設定されたフレームレートとに基づいて前記動画を記録するフレーム数を設定することを特徴とする請求項６から９の何れか１項に記載の撮像装置。
【請求項１１】
前記設定手段は、前記複数の所定の再生倍速からユーザが選択した動画の再生倍速に対応したフレームレートを設定することを特徴とする請求項１から１０の何れか１項に記載の撮像装置。
【請求項１２】
動画を撮影する撮像手段と、前記撮像手段により撮影された動画を記録媒体に記録する記録手段と、を有する撮像装置の制御方法であって、
前記撮像手段が撮影する動画のフレームレートを設定する設定工程と、
前記設定工程により設定されたフレームレートの動画を撮影するように前記撮像手段を制御すると共に、前記動画の再生時間が予め決められた再生時間になるように前記設定されたフレームレートに基づいて前記動画の撮影時間を設定し、前記設定した撮影時間に前記撮像手段が撮影した動画を記録するように前記記録手段を制御する制御工程と、を有することを特徴とする制御方法。
【請求項１３】
動画を撮影する撮像手段と、前記撮像手段により撮影された動画を記録媒体に記録する記録手段と、を有する撮像装置の制御方法であって、
前記撮像手段が撮影する動画のフレームレートを設定する設定工程と、
前記設定工程により設定されたフレームレートの動画を撮影するように前記撮像手段を制御すると共に、前記記録媒体に記録された動画の再生時間が予め決められた再生時間になるように前記設定されたフレームレートに基づいて前記記録手段が記録する動画のフレーム数を設定し、前記設定したフレーム数の動画を記録するように前記記録手段を制御する制御工程と、を有することを特徴とする制御方法。
【請求項１４】
撮像装置のコンピュータを、
動画を撮影する撮像手段と、
前記撮像手段により撮影された動画を記録媒体に記録する記録手段と、
前記撮像手段が撮影する動画のフレームレートを設定する設定手段と、
前記設定手段により設定されたフレームレートの動画を撮影するように前記撮像手段を制御すると共に、前記動画の再生時間が予め決められた再生時間になるように前記設定されたフレームレートに基づいて前記動画の撮影時間を設定し、前記設定した撮影時間に前記撮像手段が撮影した動画を記録するように前記記録手段を制御する制御手段と、として機能させるためのプログラム。
【請求項１５】
撮像装置のコンピュータを、
動画を撮影する撮像手段と、
前記撮像手段により撮影された動画を記録媒体に記録する記録手段と、
前記撮像手段が撮影する動画のフレームレートを設定する設定手段と、
前記設定手段により設定されたフレームレートの動画を撮影するように前記撮像手段を制御すると共に、前記記録媒体に記録された動画の再生時間が予め決められた再生時間になるように前記設定されたフレームレートに基づいて前記記録手段が記録する動画のフレーム数を設定し、前記設定したフレーム数の動画を記録するように前記記録手段を制御する制御手段と、として機能させるためのプログラム。
【発明の詳細な説明】
【技術分野】
【０００１】
本発明は、動画を撮影する技術に関する。
【背景技術】
【０００２】
従来、ビデオカメラなどで動画を撮影する際、撮影する動画のフレームレート（単位時間当たりのフレーム数）を切り替えることにより、動画を再生したときに特殊効果を持たせる技術がある（例えば、特許文献１参照）。例えば、６０フレーム／秒のフレームレートで撮影した動画を３０フレーム／秒のフレームレートで再生することで、１／２倍速のスローモーションの動画を再生することができる。これにより、３０フレーム／秒のフレームレートで撮影した動画を１／２倍速でスロー再生する時に比べ、より被写体の動きがなめらかな動画を再生することができる。逆に、１５フレーム／秒のフレームレートで撮影した動画を３０フレーム／秒のフレームレートで再生することで、２倍速の早送りの動画を再生することができる。このように、動画の撮影時のフレームレートと再生時のフレームレートとの関係によって、様々な動画の再生速度が得られるように特殊効果を付加することができる。
【先行技術文献】
【特許文献】
【０００３】
【特許文献１】特開２００３−１５３０５４号公報
【発明の概要】
【発明が解決しようとする課題】
【０００４】
前述のように、フレームレートを任意に変更して動画を撮影した場合、動画の再生時間は、撮影時のフレームレートと再生時のフレームレートによって決まる。例えば、１０秒間の動画を撮影し、３０フレーム／秒で再生する場合を考える。撮影時の動画のフレームレートが６０フレーム／秒の場合、再生時間は２０秒となる。一方、撮影時の動画のフレームレートが１５フレーム／秒の場合、再生時間は５秒となる。このように、同じ時間だけ動画を撮影した場合でも、動画のフレームレートによってその再生時間が異なることになる。そのため、ユーザが考えていたよりも１つのシーンの再生時間が短すぎることや、逆に長すぎるということが考えられる。
【０００５】
そこで、ユーザが所望の再生時間の動画を撮影したいと思った場合には、動画を撮影するときのフレームレートと、再生時のフレームレートとを常に考慮しながら、動画を撮影する時間を決める必要があり、大変煩わしいものであった。
【０００６】
本発明は、上記課題に鑑みてなされ、撮影時のフレームレートが変更可能な場合であっても、撮影された動画の再生時間を予め決められた時間にできる技術を実現する。
【課題を解決するための手段】
【０００７】
上記課題を解決するために、本発明の撮像装置は、動画を撮影する撮像手段と、前記撮像手段により撮影された動画を記録媒体に記録する記録手段と、前記撮像手段が撮影する動画のフレームレートを設定する設定手段と、前記設定手段により設定されたフレームレートの動画を撮影するように前記撮像手段を制御すると共に、前記動画の再生時間が予め決められた再生時間になるように前記設定されたフレームレートに基づいて前記動画の撮影時間を設定し、前記設定した撮影時間に前記撮像手段が撮影した動画を記録するように前記記録手段を制御する制御手段と、を有する。
【発明の効果】
【０００８】
本発明によれば、撮影時のフレームレートが変更可能な場合であっても、撮影された動画の再生時間を予め決められた時間にできる。
【図面の簡単な説明】
【０００９】
【図１】本発明に係る実施形態の撮像装置のブロック図である。
【図２】通常再生において撮像素子を駆動（Ａ）し、画像フレームを記録（Ｂ）及び再生（Ｃ）する際のタイミングチャートである。
【図３】スロー再生において撮像素子を駆動（Ａ）し、画像フレームを記録（Ｂ）及び再生（Ｃ）する際のタイミングチャートである。
【図４】早送り再生において撮像素子を駆動（Ａ）し、画像フレームを記録（Ｂ）及び再生（Ｃ）する際のタイミングチャートである。
【図５】実施形態１による動画撮影動作を示すフローチャートである。
【図６】再生速度と撮影フレームレートと撮影時間との関係を示す図である。
【図７】本実施形態における動画の再生時間を予め決められた時間にする処理を説明する図である。
【図８】実施形態２の撮像装置のブロック図である。
【図９】実施形態２による動画撮影動作を示すフローチャートである。
【図１０】再生速度と撮影フレームレートとフレーム数との関係を示す図である。
【発明を実施するための形態】
【００１０】
以下に、添付図面を参照して本発明を実施するための形態について詳細に説明する。尚、以下に説明する実施の形態は、本発明を実現するための一例であり、本発明が適用される装置の構成や各種条件によって適宜修正又は変更されるべきものであり、本発明は以下の実施の形態に限定されるものではない。
【００１１】
［実施形態１］先ず、図１を参照して、本発明に係る撮像装置１００を適用した実施形態のデジタルビデオカメラの構成について説明する。図１において、１０１は被写体像を結像するフォーカスレンズ等からなるレンズユニットである。１０２はレンズユニット１０１により結像された被写体像を光電変換して電気信号を出力するＣＣＤやＣＭＯＳ等の撮像素子である。１０３は撮像素子１０２から出力されるアナログ信号に対して所定の信号処理を施してデジタル信号である動画データを生成する信号処理部である。１０４は信号処理部１０３にてから出力された動画データを記録媒体に対して記録するのに適した形式に変換する記録処理部である。１０５は記録処理部１０４にて処理された動画データを半導体メモリやハードディスク等の記録媒体１１３に記録する記録部である。１０６は撮像素子１０２を駆動する駆動部である。１０７は撮影モードに基づき動画撮影時の撮像素子１０２のフレームレートを制御するフレームレート制御部である。
【００１２】
１０９はユーザによる後述する記録開始指示や撮影モード設定指示を含む各種操作を受け付ける操作スイッチである。１１１は後述する記録時間Ｔを計時するタイマーである。１１２は記録中や記録終了時に発光するＬＥＤである。１１０は記録部１０５に記録された動画データを再生する再生部である。１０８は上述した各部を含む装置全体を制御するシステムコントローラである。出力部１１４は再生部１１０により再生された動画データを外部に出力する。表示制御部１１５は、表示部１１６に対する表示画面を制御する。表示制御部１１５は、システムコントローラ１０８からの指示に従い、撮影時には撮影された動画を表示部１１６に表示し、再生時には再生された動画像を表示部１１６に表示する。また、表示制御部１１５は、システムコントローラ１０８からの指示に従い、後述の様なモードの切り替えやフレームレートの設定のための各種のメニュー画面を表示する。
【００１３】
上述した構成を有するデジタルビデオカメラは、動画を撮影する際のフレームレートが変更可能であり、ユーザは撮影する動画のフレームレートを任意に切り替えることができる。以下では、記録された動画データを３０フレーム／秒のフレームレートで再生するものとして説明する。また、本実施形態のデジタルビデオカメラは、通常の撮影モードに加え、ユーザが撮影する動画の再生時間を任意に設定でき、設定された再生時間分に応じた時間だけ動画を記録するスナップ撮影モードを有する。即ち、ユーザは、操作スイッチ１０９を操作することにより、撮影しようとしている動画のフレームレート（ｎフレーム／秒）を任意の値に設定できる。なお、本実施形態では、通常撮影モードにおいては、ｎの値を１から６０の間の任意の値とする。スナップ撮影モードにおいては、ｎの値を、後述の様に、動画の再生速度に対応した所定の値とする。また、ユーザは、操作スイッチ１０９を操作することにより、通常撮影モード又はスナップ撮影モードに切り替えることができる。更に、ユーザは、操作スイッチ１０９を操作することにより、スナップ撮影モードで記録された動画データの再生時間を任意に設定できる。
【００１４】
通常撮影モードでは、ユーザが操作スイッチ１０９を操作することにより記録開始が指示されてから記録停止が指示されるまでの間、ユーザにより設定されたフレームレートで動画を記録する。一方、スナップ撮影モードでは、同様に記録開始が指示されると、ユーザにより設定されたフレームレートで動画の撮影を開始する。その後、設定されたフレームレートＶと再生時間ｍに基づき算出される記録時間Ｔだけ記録を行うと自動的に停止する。
【００１５】
ここで、図１を参照して、信号の流れについて説明する。図１において、レンズユニット１０１を通過して撮像素子１０２の受光面に結像された画像は電気信号に変換され、動画像として信号処理部１０３に出力される。信号処理部１０３は、撮影された動画像信号に対してノイズ除去や、圧縮符号化処理などの所定の画像処理を施した後に記録処理部１０４と表示制御部１１５に出力する。記録処理部１０４は、信号処理部１０３からの動画像信号に対し、記録された動画像が所定のフレームレート（本実施形態では３０フレーム／秒とする）で再生されるように、その形態を変換し、記録部１０５に出力する。具体的には、記録処理部１０４は、撮像された動画像の再生時のフレームレートを示す付加情報を動画像データに付加して出力する。記録部１０５は、記録処理部１０４から出力された動画像データを記録媒体に記録する。なお、本実施形態では、記録開始から記録停止までの間に記録媒体に記録する一連の動画像データを一つのファイルとして管理する。そして、再生時のフレームレートを示す付加情報を、各動画像データのファイルの付加情報として記録する。なお、付加情報を、動画像データの各フレームに付加する様にしてもよい。また、記録処理部１０４は、記録された動画像が所定のフレームレートで再生されるように、動画像の各フレームの再生タイミングを示すタイムスタンプを、各フレームに対して付加して記録する様にしてもよい。
【００１６】
また、撮影時には、表示制御部１１５は、信号処理部からの動画像データに係る動画像を表示部１１６に表示する。本実施形態では、撮影する動画のフレームレートをユーザが変更可能であるが、表示制御部１１５は、撮影された動画像のフレームレートと同じフレームレートの動画像を表示部１１６に表示する。
【００１７】
再生部１１０は、記録部１０５により記録された動画像データを記録媒体から再生し、出力部１１４と表示制御部１１５に出力する。出力部１１４は再生された動画像データに対して所定の処理を施して外部のモニタなどに出力する。このとき、再生部１１０は、動画像データの付加情報に基づき、再生された動画像データを所定のフレームレートで出力する。また、表示制御部１１５は、システムコントローラ１０８からの指示に従い、再生された動画像データに係る動画像を表示部１１６に表示する。撮像素子１０２は様々なフレームレートの動画データを出力することができ、駆動部１０６による様々な駆動タイミングにより駆動される。例えば、駆動部１０６は、撮像素子１０２の垂直同期間隔や水平同期間隔の長さを変更して、１フレームの期間長を変更し、様々なフレームレートを設定する。
【００１８】
図２は、撮像素子１０２を３０フレーム／秒の動画像を撮影するように駆動し、３０フレーム／秒ごとに動画像の各フレームを記録及び再生する際のタイミングチャートである。図２（Ａ）に示す様に、撮像素子１０２を１／３０秒ごとに１フレームの動画像を出力するように駆動することで１／３０秒毎に撮像された動画像の各フレームは、図２（Ｂ）の様に１／３０秒毎のフレームとして媒体に記録される。また、図２（Ｃ）に示す様に、この様に記録された動画像は、再生部１１０により、所定のフレームレートである３０フレーム／秒で再生される。この場合は、１倍速の再生となる。図３は、撮像素子１０２を６０フレーム／秒の動画像を撮影するように駆動し、撮像した動画像の各フレームを記録部１０５で記録し、３０フレーム／秒で再生することで、１／２スロー再生を実現する際のタイミングチャートである。図４（Ａ）に示すように、撮像素子１０２を１５フレーム／秒の動画像を撮影するように駆動し、図４（Ｂ）に示す様に、撮像した動画像の各フレームを記録部１０５で記録する。そして、図４（Ｃ）に示すように、記録した動画像を３０フレーム／秒で再生することで、２倍速再生を実現する。
【００１９】
次に、図５のフローを参照して、本実施形態のスナップ撮影モードにおける撮影動作について説明する。なお、図５の処理は、システムコントローラ１０８が撮像装置１００の各部を制御することにより実行される。図５において、ユーザは撮影に先立ち、操作スイッチ１０９を操作して、これから撮影する動画像の再生速度を決定する（Ｓ５０１）。本実施形態では、予め決められた複数の再生速度の中から所望の再生速度を設定するものとする。ここで設定可能な再生速度は、図６に示すように、１／２倍速、１倍速（通常速度）、１．５倍速、２倍速、３倍速とするが、もちろん、これ以外の再生速度を選択可能としてもよい。いずれかの再生速度が選択されると、撮影時のフレームレートＶを設定する（Ｓ５０２）。例えば、再生速度として１／２倍速が設定されると、撮影する動画像のフレームレートＶを６０フレーム／秒に設定する。その結果、記録した動画像を再生すると、図３で説明した１／２倍速のスロー再生の特殊効果を付加することが可能となる。また、１倍速（通常再生）が設定されると、撮影する動画像のフレームレートＶを３０フレーム／秒に設定する。その結果、記録した動画像を再生すると、図２で説明した１倍速（通常）再生が実現される。更に、２倍速が設定されると、撮影する動画像のフレームレートＶを１５フレーム／秒に設定する。その結果、記録した動画像を再生すると、図４で説明した２倍速再生の特殊効果を付加することが可能となる。
【００２０】
システムコントローラ１０８は、Ｓ５０２で、選択された再生速度に基づき設定された撮影フレームレートＶに基づいて動画像を撮影する時間（長さ）Ｔを算出する（Ｓ５０３）。ここで、撮影時間Ｔは、Ｔ＝ｍ秒ｘ（３０／Ｖ）フレーム、で算出される。ここでは、撮影フレームレートＶの値にかかわらず、記録した動画像を再生する長さ（再生時間）を予め決められた時間ｍ秒とするように、撮影時間Ｔを算出する。例えば、再生時間ｍが４秒に設定された場合、撮影フレームレートと撮影時間Ｔとの関係は図６のようになる。その後、システムコントローラ１０８は、撮影フレームレートがＶになるようにフレームレート制御部１０７を設定する。フレームレート制御部１０７は駆動部１０６を制御し、撮像素子１０２がフレームレートＶの動画像を撮影するように駆動する。
【００２１】
次に、システムコントローラ１０８は操作スイッチ１０９により記録の開始が指示されたか否かを判定し（Ｓ５０４）、記録開始指示がされたならばフレームレートＶで撮影される動画の記録を開始する（Ｓ５０５）。ここで、システムコントローラ１０８は、ＬＥＤ１１２を発光させて記録中であることをユーザに通知する。あるいは不図示のＬＣＤ等の表示部に記録中の表示を行ってユーザに通知してもよい。Ｓ５０５では、Ｓ５０２で設定された撮影フレームレートＶで撮影される動画に対して、信号処理部１０３で信号処理を施し、記録処理部１０４で付加情報が付加された後、記録部１０５により記録媒体に記録される。そして、タイマー１１１で、撮影開始後、撮影時間Ｔが経過したことが検知されたならば（Ｓ５０６）、記録動作を終了しＬＥＤ１１２を消灯する（Ｓ５０７）。
【００２２】
図７は、スナップ撮影モードにおいて再生時間ｍが４秒に設定された場合に記録される動画を例示する図である。図７において、７０１はユーザによる記録開始指示タイミング、７０２は撮影時間Ｔ、７０３は記録開始指示毎に撮影された動画（７１０〜７１３）、７０４は各動画像の撮影前に設定された再生倍速に基づく撮影フレームレートをそれぞれ示している。前述の様に、ユーザは操作スイッチ１０９により、各動画像の記録開始指示を出す前に再生倍速を設定している。図７の例では、動画７１０の撮影では１倍速再生を設定し、撮影フレームレートは３０フレーム／秒（以下、ｆｐｓ）である。また、動画７１１は１／２倍速を設定し、撮影フレームレートは６０ｆｐｓである。また、動画７１２では２倍速再生を設定し、撮影フレームレートは１５ｆｐｓである。また、動画７１３では１倍速再生が設定されている。そして、システムコントローラ１０８により、動画７１０の撮影時間Ｔは４秒、動画７１１は２秒、動画７１２は８秒、動画７１３は４秒にそれぞれ設定される。
【００２３】
また、図７には、このようにして撮影された個々の動画データを再生する様子が示されている。７０５は再生時間ｍ、７０６は連続再生される動画（７２０〜７２３）、７０７は再生フレームレート、７０８は再生時の効果をそれぞれ示している。再生動画７２０は撮影動画７１０、再生動画７２１は撮影動画７１１、再生動画７２２は撮影動画７１２、再生動画７２３は撮影動画７１３にそれぞれ対応しており、各々の再生時間は４秒であり、再生フレームレート７０７も各々３０ｆｐｓとなる。各撮影動画７１０〜７１３は、再生時には、所定のフレームレートである３０ｆｐｓで再生されるので、再生時の効果７０８としては、再生動画７２０は１倍速（通常）再生、再生動画７２１は１／２倍スロー再生、再生動画７２２は２倍早送り（クイック）再生、再生動画７２３は１倍速（通常）再生となる。そして、再生時の効果によらず各撮影動画を予め決められた時間４秒で再生することができる。
【００２４】
なお、本実施形態では、記録した動画像を再生する際の所定のフレームレートを３０フレーム／秒としたが、これ以外の値とすることも可能である。
【００２５】
［実施形態２］次に、図８〜図１０を参照して、実施形態２について説明する。図８は実施形態２の撮像装置の構成図であり、１１７は記録部１０５に記録された画像フレーム数をカウントするフレーム数カウンタである。その他、図１と同一の構成については同一の符号を付して説明を省略する。
【００２６】
次に、図９のフローを参照して、本実施形態におけるスナップ撮影モードの処理を説明する。図９において、Ｓ５０１、Ｓ５０２、Ｓ５０４、Ｓ５０５では、図５と同様に、ユーザは、これから撮影する動画像の再生速度を決定し、システムコントローラ１０８が撮影フレームレートＶを設定し、操作スイッチ１０９から記録開始指示が出されると、記録動作を開始する。撮影する動画像の再生速度は、図１０に示すように、１／２倍速、１倍速（通常再生）、１．５倍速、２倍速、３倍速の早送り再生を含み、図６と異なる点は、撮影時間Ｔに代えてフレーム数を予め決められた数としているところである。システムコントローラ１０８は、記録開始後、フレーム数カウンタ１１７によりカウントされたフレーム数が予め決められた数（例えば、１２０フレーム）になったことが検知された場合（Ｓ９０６）、記録動作を終了し（Ｓ５０７）、ＬＥＤ１１２を消灯する。
【００２７】
この様に、本実施形態では、スナップ撮影モードにおいて、Ｓ５０２で設定された撮影フレームレートＶにかかわらず予め決められたフレーム数（１２０フレーム）を記録したら記録を停止する。そのため、図７のように、撮影フレームレートによらず、各クリップの動画像の再生時間を予め決められた時間（４秒）とすることができる。
【００２８】
また、本発明は、上記実施形態と同等の処理を、コンピュータプログラムでも実現できる。この場合、図１をはじめとする構成要素の各々は関数、もしくはＣＰＵが実行するサブルーチンで機能させれば良い。また、通常、コンピュータプログラムは、ＣＤ−ＲＯＭ等のコンピュータ可読記憶媒体に格納されており、それを、コンピュータが有する読取り装置（ＣＤ−ＲＯＭドライブ等）にセットし、システムにコピーもしくはインストールすることで実行可能になる。従って、かかるコンピュータ可読記憶媒体も本発明の範疇にあることは明らかである。
【図１】
2011009970.tif 000003
【図２】
2011009970.tif 000004
【図３】
2011009970.tif 000005
【図４】
2011009970.tif 000006
【図５】
2011009970.tif 000007
【図６】
2011009970.tif 000008
【図７】
2011009970.tif 000009
【図８】
2011009970.tif 000010
【図９】
2011009970.tif 000011
【図１０】
2011009970.tif 000012